(57)【特許請求の範囲】
【請求項１】
軟質な包材で形成された袋体にウエットシートが内蔵され且つ前記袋体に取り出し口が設けられたパッケージを収納するための収納ケースにおいて、
少なくとも一部が軟質シートで形成されたケース本体を有し、前記ケース本体に、互いに対向する正面部と背面部ならびに前記正面部と前記背面部の間に位置する端面部で囲まれる収納空間と、前記正面部を含む開閉部と、前記開閉部が前記ケース本体の他の部分から離れたときに前記端面部で囲まれて形成される収納口とが設けられ、
前記正面部に、開口部と、前記開口部の周囲全周に固定された枠体と、前記枠体による囲み空間および前記開口部を同時に開閉する蓋体と、前記枠体の内面と前記袋体の前記取り出し口の周囲とを密着させる密着手段と、が設けられており、
前記パッケージが前記収納口から前記収納空間に収納され、前記開閉部が閉鎖姿勢になると、前記開口部が前記取り出し口と対向するとともに前記枠体と前記袋体とが前記密着手段によって密着させられて、止着手段によって前記開閉部が前記収納口を閉じた状態に維持されることを特徴とする収納ケース。
【請求項２】
前記止着手段は、前記ケース本体を形成する前記軟質シートどうしを対面させた状態で互いに掛止する面対向型の係止ファスナーである請求項１記載の収納ケース。
【請求項３】
前記止着手段は、前記ケース本体を形成する前記軟質シートどうしを接合するジッパーである請求項１記載の収納ケース。
【請求項４】
前記密着手段によって、前記枠体の周囲全周と、前記袋体の前記取り出し口の周囲全周とが密着させられる請求項１ないし３のいずれか１項に記載の収納ケース。
【請求項５】
前記密着手段は、前記枠体の内面と前記パッケージの表面とを固着させる感圧接着剤層である請求項４記載の収納ケース。
【請求項６】
前記密着手段は、前記枠体と、前記袋体の前記取り出し口の周囲に取り付け可能に設けられて前記枠体と嵌着可能な嵌合枠体とで構成されている請求項１ないし３のいずれか１項に記載の収納ケース。
【発明の詳細な説明】
【技術分野】
【０００１】
本発明は、軟質な包材で形成された袋体の内部にウエットシートが収納されたパッケージを収納するための収納ケースに係り、特にケース本体が軟質で、前記パッケージを簡単に収納し且つ取り出すことができ、しかも前記ウエットシートの乾燥防止効果の高い収納ケースに関する。
【背景技術】
【０００２】
肌の汚れを取り、あるいはおむつ交換時に幼児の排泄部を拭き、または便器などの汚れを拭き取るために使用されるウエットシートは、不織布に汚れ落とし成分を含む薬液を含浸した状態で使用される。この種のウエットシートは、通常は軟質な包材で形成された袋体内に多数枚が収納されたパッケージとして販売され取り扱われる。前記袋体には取り出し口が形成され、且つ前記取り出し口には、蓋シートが感圧接着剤層を介して接着固定されている。
【０００３】
前記パッケージの前記蓋シートは、袋体に対して繰り返して剥離可能なように接着されたものであり、ウエットシートを取り出す際に、前記蓋シートを剥がして前記取り出し口を開口させる。しかし、前記蓋シートは前記感圧接着剤による接着力に対抗して引き剥がすことが必要であるため、蓋シートを剥がすのに比較的大きな力が必要となるため、繰り返して蓋シートを剥がす操作が煩雑である。
【０００４】
また、ウエットシートを取り出した後には、前記蓋シートを袋体の表面に隙間無くしっかり貼り付けないと取り出し口を完全に塞ぐことができず、袋体の内部に残ったウエットシートの乾燥を完全に防げなくなる。しかし、前記袋体は軟質な包材で形成されているため、一度剥がした蓋シールを前記包材の表面に固着する際に、包材または蓋シールに皺が形成されることがあり、蓋シールを袋体の取出口の周囲全周に完全に密着させる操作が容易ではない。
【０００５】
一方、家庭内などでは、前記パッケージを収納する収納ケースが用いられることもある。前記収納ケースは、プラスチック材料で形成された硬質ケースであり、その一部を取り外して、ケース内に前記パッケージを挿入できる。前記収納ケースには、内部に収納されたパッケージの前記取り出し口に対向する開口部が形成されてているとともに、前記開口部を開閉するための硬質な蓋体が開閉自在に取付けられている。
【０００６】
前記パッケージを、前記蓋シールを剥がした状態で前記収納ケースに収納させておくと、硬質の前記蓋体を開くことでパッケージ内のウエットシートを取り出すことができ、ウエットシートを取り出した後には、前記蓋体を閉じてケース内を閉鎖できる。よって、パッケージの前記蓋シールを剥がし、蓋シールを閉じる操作よりも開閉操作が容易である。
【０００７】
しかし、前記のような硬質の収納ケースは、家庭内などに据え置いて使用するのに適しているが、外出時に携帯して使用するのには適していない。
【０００８】
また、前記収納ケースに前記パッケージが収納されたときに、前記パッケージの外面と前記収納ケースの内面との間に空間が形成され、この空間は、前記取り出し口を介してパッケージの内部に連通している。そのため、パッケージ内のウエットシートに含まれている水分が収納ケースの内部空間全域に向けて蒸発することになり、ウエットシートの乾燥を完全に防止するのは困難である。
【０００９】
次に、以下の特許文献１には、前記パッケージの袋体の外面に部分的に取付ける蓋本体が開示されている。
【００１０】
この蓋本体には開閉自在な開閉板が取付けられている。前記蓋本体は、前記開閉板で取り出し口を覆うようにして、粘着テープなどでパッケージの袋体の外面に取付けられる。前記特許文献１に記載の発明は、前記開閉板を操作することパッケージの前記取り出し口を容易に開閉でき、また前記１個の蓋本体を異なるパッケージに取付けて複数回使用できるので、省資源化と廃棄物の減少に寄与できるというものである。
【００１１】
しかし、前記蓋本体はテープの粘着力によって袋体の外面に部分的に固着されているものであるため、携帯時などに蓋本体に外力が作用すると蓋本体がパッケージの外面から容易に外れやすい。特に、蓋本体に対してパッケージ表面に沿ってずらすような剪断力が作用したときに前記粘着力だけでは前記剪断力に対抗できず、蓋本体がパッケージの表面から外れやすいものとなっている。外出時にパッケージを携帯しているときに、蓋本体がパッケージから離脱してしまうと、パッケージの取り出し口が開放状態となり、内部のウエットシートが乾燥しやすくなる。
【特許文献１】特開平１１−７００５６号公報
【発明の開示】
【発明が解決しようとする課題】
【００１２】
本発明は、軟質シートで形成されたケース本体内にウエットシートパッケージを収納することで、軽量で持ちを容易とし、またパッケージの内部のウエットシート取り出すことが容易であり、さらにパッケージ内部のウエットシートの乾燥を防止する効果の高い収納ケースを提供するものである。
【課題を解決するための手段】
【００１３】
本発明は、軟質な包材で形成された袋体にウエットシートが内蔵され且つ前記袋体に取り出し口が設けられたパッケージを収納するための収納ケースにおいて、
少なくとも一部が軟質シートで形成されたケース本体を有し、前記ケース本体に、互いに対向する正面部と背面部ならびに前記正面部と前記背面部の間に位置する端面部で囲まれる収納空間と、前記正面部を含む開閉部と、前記開閉部が前記ケース本体の他の部分から離れたときに前記端面部で囲まれて形成される収納口とが設けられ、
前記正面部に、開口部と、前記開口部の周囲全周に固定された枠体と、前記枠体による囲み空間および前記開口部を同時に開閉する蓋体と、前記枠体の内面と前記袋体の前記取り出し口の周囲とを密着させる密着手段と、が設けられており、
前記パッケージが前記収納口から前記収納空間に収納され、前記開閉部が閉鎖姿勢になると、前記開口部が前記取り出し口と対向するとともに前記枠体と前記袋体とが前記密着手段によって密着させられて、止着手段によって前記開閉部が前記収納口を閉じた状態に維持されることを特徴とするものである。
【００１４】
前記収納ケースは少なくとも一部が軟質シートで形成されて軽量であるため、ウエットシートパッケージを収納した状態で前記収納ケースを容易に持ち運ぶことができる。また、収納ケースの開口部の周囲全周と、パッケージの袋体の取り出し口の周囲全周とが密着手段によって密着させられているため、収納ケースの内部空間と、パッケージの取り出し口とが前記密着手段で分離される。しかも前記取り出し口が蓋体で閉鎖されているため、パッケージの内部のウエットシートの乾燥を防止しやすい。また、パッケージは収納ケースの収納空間内で支えられているため、前記密着手段での密着が外れにくく、パッケージの取り出し口の周囲部分が、常に密着手段で囲まれた状態を維持できるようになる。
【００１６】
前記正面部を含む開閉部が他の部分から分離可能であるので、パッケージの取り出し口の周囲部分と、収納ケースの開口部の周囲部分とを密着させる操作が容易である。
【００１７】
例えば、前記止着手段は、前記ケース本体を形成する前記軟質シートどうしを対面させた状態で互いに掛止する面対向型の係止ファスナーである。あるいは、前記止着手段はジッパーである。
【００１８】
本発明の収納ケースは、収納ケースの開口部の周囲全周と、パッケージの袋体の取り出し口の周囲全周とが密着手段により密着させられているため、パッケージの開口部と収納ケースの内部空間が前記密着手段で遮断されている。そのため、前記止着手段には、ケース本体の内部空間を密封させるほどの封止機能が要求されない。そのため、前記のようなファスナーやジッパーで十分であり、この止着手段を用いることにより、収納ケース内へのパッケージの装填と取り外しを容易にできるようになる。
【００１９】
また、本発明では、前記密着手段によって、前記ケース内面の前記開口部の周囲全周と、前記袋体の前記取り出し口の周囲全周とが密着させられる。
【００２０】
前記密着手段は、前記枠体の内面と前記パッケージの表面とを固着させる感圧接着剤層である。
【００２１】
また、前記密着手段は、前記枠体と、前記袋体の前記取り出し口の周囲に取り付け可能に設けられて前記枠体と嵌着可能な嵌合枠体とで構成できる。
【発明の効果】
【００２２】
本発明では、パッケージを収納した状態で軽量で且つ持ち運びが容易であり、収納ケースに設けられた蓋体を操作するだけで開口部を開閉できる。また、パッケージの取り出し口の周囲全周が収納ケースの開口部周囲に密着しているため、パッケージを収納した後に収納口を閉じる止着手段がファスナーやジッパーのような掛止止着手段であっても、パッケージ内のウエットシートが乾燥しにくいものとなる。また、パッケージは収納ケース内の収納空間で支えられているため、パッケージの取り出し口の周囲全周と収納ケースの開口部周囲との密着が簡単に外れることがない。
【発明を実施するための最良の形態】
【００２３】
図１は本発明の第１の実施の形態の収納ケース１を示す斜視図、図２は前記収納ケース１の正面部を開放して収納口１０を形成した状態を示す斜視図、図３は前記収納ケース１に収納されるパッケージ５０の斜視図、図４は、図１に示す収納ケース１にパッケージ５０が収納された状態を示すＩＶ−ＩＶ線矢視の断面図である。
【００２４】
図１と図２に示す収納ケース１は、内部にパッケージ５０を収納したときに直方体形状となるケース本体２を有している。このケース本体２は少なくとも一部が軟質シートで形成されている。
【００２５】
本発明のケース本体は、従来のような合成樹脂材料からインジェクション成型された全体が硬質の立体形状のケースとは相違している。前記軟質シートは、例えば、合成樹脂シート、不織布、紙材、金属箔のいずれかであり、またはこれらのいずれかを重ねあわせた複合材料である。ケース本体の全体が前記軟質シートで形成されてもよいし、あるいはケース本体は、一部が硬質なプラスチックシートで形成され、他の部分が前記軟質シートで形成されたものであってもよい。または、前記硬質なプラスチックシートで主要な側面が形成され、各プラスチックシートが前記軟質シートで連結されたものであってよい。
【００２６】
本発明のケース本体は、内部にパッケージ５０を収納した状態で直方体の立体形状になるが、パッケージ５０を取り出した状態では、偏平状態や湾曲状態に変形可能であり、あるいは折畳み自在なものとなる。
【００２７】
図１と図２および図４に示すケース本体２は、長方形の背面部２１と、前記背面部２１の短辺からほぼ直角に立ち上がる一対の端面部２２，２２と、前記背面部２１の一方の長辺から立ち上がる後側面部２３とを有している。前記背面部２１の他方の長辺２４からは、前側面部２５が連続して延び、さらに前記前側面部２５に連続する正面部２６と、この正面部２６に連続する重ね部２７と、さらにこの重ね部２７に連続する止着面部２８とを有している。この実施の形態のケース本体２では、前記前側面部２５、正面部２６、重ね部２７および止着面部２８が開閉部４となっている。
【００２８】
前記ケース本体２の各部は、全て軟質シートで形成されて全体が自由に変形でき、さらに偏平状態に折畳み可能である。または、前記背面部２１、端面部２２，２２、後側面部２３、さらには正面部２６などが、やや硬質な厚紙またはやや硬質なプラスチックシートで補強されたものであってもよい。
【００２９】
図２に示すように、前記前側面部２５、正面部２６、重ね部２７および止着面部２８から成る前記開閉部４を、前記長辺２４の部分をヒンジとして機能させて回動させると、ケース本体２には、前記端面部２２，２２の上縁部２２ａ，２２ａおよび前記後側面部２３の上縁部２３ａで囲まれた収納口１０が開口する。
【００３０】
また、図１および図４に示すように、前記正面部２６を前記背面部２１に対面させ、前記重ね部２７を前記後側面部２３の外側に重ね、さらに前記止着面部２８を背面部２１の外側に重ねることで立体形状に形成できる。この立体形状では、前記正面部２６によって前記収納口１０が塞がれて、内部にほぼ直方体形状の収納空間１１が形成される。
【００３１】
図４に示すように、前記背面部２１の外面と前記止着面部２８の内面との間に止着手段として面対向型のベルクロ（Velcro）であるファスナー３０が設けられている。前記ファスナー３０の一方を構成する掛止側シート３１が背面部２１の外面に固定され、前記ファスナー３０の他方を構成する被掛止側シート３２が前記止着面部２８の内面に固定されている。掛止側シート３１には多数の鉤状、フック状の掛止突起が設けられ、前記被掛止側シート３２には前記掛止突起が掛止される多数のループが形成されている。
【００３２】
止着手段は前記ファスナー３０を用いた簡易止着手段であるため、図２に示す開放状態と、図１と図４に示す閉じ状態とを容易に設定できる。
【００３３】
図２と図４に示すように、ケース本体２の前記正面部２６には、開口部２９が形成されている。この開口部２９はほぼ四角形状に開口しており、その開口面積は図３に示すパッケージ５０の取り出し口５３よりも十分に大きく形成されている。
【００３４】
前記正面部２６には、前記開口部２９の周囲全周を囲む枠体４０が取付けられている。この枠体４０は、ポリプロピレンやポリエチレン樹脂などでインジェクション成型された硬質のものであり、外壁部４１と内壁部４２とが一体に形成されている。前記正面部２６を形成している前記軟質シートを挟んで外面側において、前記開口部２９の周囲全周に前記外壁部４１が現れ、内面側において、前記開口部２９の周囲全周に前記内壁部４２が現れている。
【００３５】
前記外壁部４１の一方の長辺側の内縁部には、蓋体４４が連続して一体に形成されている。前記蓋体４４は硬質であるが、前記内縁部に薄肉のヒンジ部４３が形成され、前記蓋体４４は前記ヒンジ部４３を支点として回動可能となっている。図４に示すように、外壁部４１の他方の長辺側の内縁部には嵌合段差部４５が形成されている。前記蓋体４４の先縁部４４ａを前記嵌合段差部４５に嵌合させることにより、前記蓋体４４で、枠体４０で囲まれた囲み部４６の空間を閉鎖できるようになっている。図４に示すように、蓋体４４が閉じられたときには、この蓋体４４によって前記囲み部４６が閉鎖されるのみならず、ケース本体２に形成された前記開口部２９も一緒に閉鎖される。
【００３６】
図４に示すように、枠体４０の前記内壁部４２の表面である内壁面４２ａは、前記収納空間１１内に向けられて、内壁面４２ａは全体が同一面となっている。この内壁面４２ａには、密着手段となる感圧接着剤層４８が形成されている。この感圧接着剤層４８はゴム系またはアクリル系であり、図３に示すパッケージ５０を形成する包材との間で何度も粘着と剥離を繰り返しても接着力が極端に低下しないものとなっている。この収納ケース１が最初に使用される前の状態においては、前記感圧接着剤層４８が離型シートで覆われて保護されている。密着手段である前記感圧接着剤層４８は、前記開口部２９の周囲全周に沿って連続して形成されている。
【００３７】
図１に示すように、収納ケース１では、前記ケース本体２の一方の端面部２２から外側に延びる掴み部５が設けられている。この掴み部５はケース本体２を形成する軟質シートで形成されているものである。この掴み部５はループ状に突出しており、例えば幼児などがこの掴み部５を掴むことによって収納ケース１を簡単に持ち歩くことができる。
【００３８】
図３は、前記収納ケース１に収納されるパッケージ５０である。このパッケージ５０は周知のものであり、軟質な包材で形成された袋体５１の内部にウエットシート３が複数枚重ねられて収納されている。前記包材はポリプロピレンやポリエチレンの樹脂フィルムで形成され、または前記樹脂シートに金属箔が重ねられた積層シートである。前記袋体５１は、前記包材が筒状に形成されて縦シール線が形成され、また縦方向に向く両端部に横シール部５２，５２が形成されて内部が密閉されている。
【００３９】
前記袋体５１の正面５５には長円形の取り出し口５３が開口しており、この取り出し口５３からウエットシート３を取り出し可能となっている。また、パッケージ５０は開封前の状態では、前記袋体５１の正面５５に蓋シール５４が感圧接着剤層を介して接着されて、前記取り出し口５３が塞がれている。前記ウエットシート３は、不織布であり、汚れ落し成分を含んだ薬液を含浸している。
【００４０】
次に、前記収納シート１の使用方法を説明する。
収納ケース１にパッケージを収納するときには、図２に示すようにケース本体２の止着面部２８と背面部２１との間のファスナー３０の掛止を解除して、前記前側面部２５、正面部２６、重ね部２７および止着面部２８から成る開閉部４を開放させて、収納口１０を露出させる。
【００４１】
一方、図３に示すパッケージ５０は、正面５５に接着された蓋シール５４を剥がして取り出し口５３を露出させる。このとき、前記蓋シール５４を完全に剥がし取るか、または蓋シール５４を途中まで剥がし、図３に符号５４ａで示す部分で蓋シール５４を切断して取り去る。
【００４２】
図２に示すように、開放状態とされた収納ケース１の収納空間１１内へパッケージ５０を挿入して設置する。また、前記枠体４０の内壁部４２に貼られている離型シートを剥がし、内壁面４２ａに感圧接着剤層４８を露出させる。そして、前記開閉部４を閉じ、図１および図４に示すように、止着面部２８と背面部２１とをファスナー３０を介して止着する。このとき、パッケージ５０に形成された取り出し口５３が、収納ケース１の開口部２９の開口領域内に対向し、枠体４０の内壁面４２ａがパッケージ５０の取り出し口５３の周囲に対向する。
【００４３】
収納ケース１の正面部２６をパッケージ５０に押し付けると、前記枠体４０の内壁面４２ａの全面が感圧接着剤層４８を介して、パッケージ５０の袋体５１の表面に接着固定される。なお、図２に示すように開閉部４が開かれた状態で、パッケージ５０の正面５５を前記感圧接着剤層４８を介して枠体４０の内壁面４２ａに接着させ、そのままパッケージ５０を収納空間１１内へ設置して図１と図４に示す閉鎖状態としてもよい。
【００４４】
図４に示すように、収納ケース１にパッケージ５０が収納された状態では、パッケージ５０の取り出し口５３の周囲全周と、前記枠体４０の内壁面４２ａとが感圧接着剤層４８によって接着固定されている。そのため、感圧接着剤層４８で囲まれた空間１１ａ、すなわち前記枠体４０で囲まれた囲み部４６の空間１１ａが、取り出し口５３を介してパッケージ５０の内部空間に通じている。ただし、それ以外においてパッケージ５０の外面とケース本体２の内面との間に形成されている空間１１ｂと、前記空間１１ａとは、前記感圧接着剤層４８により遮断されている。しかも、感圧接着剤層４８で囲まれた前記空間１１ａは、蓋体４４によって密閉することが可能である。したがって、収納ケース１内に、パッケージ５０内の水分が蒸発する空間が広く形成されることがなく、ウエットシート３の乾燥を防止する効果が高くなる。
【００４５】
また、パッケージ５０は、その外面の全域がケース本体２および枠体４０とで囲まれて支えられた構造であるため、持ち歩いているときなどに、枠体４０をパッケージ５０から剥がす力や、枠体４０とパッケージ５０とをずらすような力が作用しにくくなり、前記感圧接着剤層４８による接着固定部が簡単に剥がれることもない。
【００４６】
図１に示すように、枠体４０に設けられた蓋体４４をヒンジ部４３を支点として持ち上げると、枠体４０で囲まれた囲み部４６内にパッケージ５０の取り出し口５３が現れている。よって、この取り出し口５３を介してウエットシート３を容易に取り出すことができる。ウエットシート３を取り出した後は、蓋体４４を閉じるだけで前記のようにパッケージ５０内に通じる前記空間１１ａを密閉させることができる。
【００４７】
図５は本発明の第２の実施の形態の収納ケース１０１を示す斜視図である。
この収納ケース１０１は、枠体４０や掴み部５が前記第１の実施の形態と同じものであるが、ケース本体１０２の構造が第１の実施の形態のケース本体２と相違している。
【００４８】
前記ケース本体１０２は、前記枠体４０が取付けられ且つ開口部１２９を有する正面部１２６と、背面部１２１と、後側面部１２３と、前側面部１２５と、両端面部１２２，１２２を有する六面体形状である。そして、主に背面部１２１が開閉部となっており、後側面部１２３、端面部１２２、前側面部１２５および端面部１２２のほぼ全周にわたって、止着手段であるジッパー１３０が設けられている。
【００４９】
開閉操作体１３０ａをジッパー１３０に沿って移動させることで、前記背面部１２１のほぼ全体を一部だけ残して下方へ離すことができる。上記の開放状態において、パッケージ５０が下方から収納空間１１内へ挿入され、前記感圧接着剤層４８によって、パッケージ５０の正面５５と前記枠体４０の内壁面４２ａとが接着される。
【００５０】
なお、前記ジッパー１３０によって、主に正面部１２６が他の部分から分離されて上方へ離されるようにしてもよい。
【００５１】
また、簡易止着手段は、第１の実施の形態のような対面型のファスナー３０や、第２の実施の形態のようなジッパー１３０に限られるものではなく、例えば、ケース本体の背面部２１と止着面部２８とがホックや釦によって止着されるものであってもよい。本発明では、パッケージ５０の取り出し口５３の周囲全周が感圧接着剤層４８などの密着手段で密着させられ、ケース本体２の内部空間を止着手段で密封させる必要がないため、前記のような簡易止着手段を使用することが可能となっている。
【００５２】
図６は本発明の第３の実施の形態の収納ケース２０１を示す断面図である。
この収納ケース２０１は、ケース本体２が前記第１の実施の形態と同じものである。また、ケース本体２の正面部２６の開口部２９の周囲には枠体１４０が取付けられ、この枠体１４０には、蓋体４４が開閉自在に一体化されている。
【００５３】
この実施の形態では、ケース本体２の開口部２９の周縁部と、パッケージ５０の取り出し口５３の周縁部とを密着させる密着手段として嵌着枠部２１０が用いられている。この嵌着枠部２１０は、パッケージ５０の袋体５１の表面において、取り出し口５３の周囲部分に感圧接着剤を介して固定されている。ケース本体２内にパッケージ５０を挿入したときに、前記嵌着枠体２１０と前記枠体１４０とを全周において密着させて嵌着させることにより、取り出し口５３の上の空間を密閉することができる。
【００５４】
また、収納ケース２０１内に収納するパッケージ５０を交換するときには、使用済みのパッケージ５０から嵌着枠体２１０を取り外し、新たなパッケージ５０に前記嵌着枠体２１０を取付けて、ケース本体２内に収納する。
【図面の簡単な説明】
【００５５】
【図１】本発明の第１の実施の形態の収納ケースの斜視図、
【図２】前記収納ケースの開閉部を開放した状態を示す斜視図、
【図３】パッケージの斜視図、
【図４】図１におけるＩＶ−ＩＶ線の断面図、
【図５】本発明の第２の実施の形態の収納ケースを示す斜視図、
【図６】本発明の第３の実施の形態の収納ケースを示す断面図、
【符号の説明】
【００５６】
１      収納ケース
２      ケース本体
３      ウエットシート
４      開閉部
５      掴み部
１０    収納口
１１    収納空間
２１    背面部
２２    端面部
２３    前側面部
２５    前側面部
２６    正面部
２７    重ね部
２８    止着面部
３０    ファスナー（止着手段）
４０    枠体
４１    外壁部
４２    内壁部
４２ａ  内壁面
４４    蓋体
４８    感圧接着剤層（密着手段）
５０    パッケージ
５１    袋体
５３    取り出し口
１３０  ジッパー（止着手段）
２１０  嵌着枠（密着手段）
【図１】
0004732707.tif 000002
【図２】
0004732707.tif 000003
【図３】
0004732707.tif 000004
【図４】
0004732707.tif 000005
【図５】
0004732707.tif 000006
【図６】
0004732707.tif 000007